(57)【特許請求の範囲】
【請求項１】
１以上の行から成る段落を、テープの長手方向に複数並べて印刷可能なテープ印刷装置であって、
前記段落を作成する段落作成手段と、
前記テープの長手方向における段落間の送り量を、段落ごとに設定する送り量設定手段と、
前記送り量設定手段の設定に基づいて、各段落の配置を決定する配置決定手段と、
前記配置決定手段により決定された配置となるように、前記段落作成手段により作成された各段落を前記テープ上に印刷する印刷手段と、を備え、
前記送り量設定手段は、２番目以降に作成された任意の段落について、前記送り量をマイナスの値に設定可能であり、
前記配置決定手段は、前記送り量がマイナスの値に設定された場合、その前に作成された１以上の段落のうち少なくとも１の段落と重畳するように、当該任意の段落の配置を決定することを特徴とするテープ印刷装置。
【請求項２】
前記送り量設定手段は、複数の選択肢の中からいずれかを選択することによって前記送り量を設定可能であり、
前記選択肢には、前記任意の段落の開始位置を、その直前に作成された段落の開始位置に揃えて重畳させるための第１の選択肢が含まれることを特徴とする請求項１に記載のテープ印刷装置。
【請求項３】
前記選択肢には、前記任意の段落の開始位置を、その直前に作成された段落の開始位置または終了位置から所定量だけ離間した位置に配置させるための第２の選択肢が含まれることを特徴とする請求項２に記載のテープ印刷装置。
【請求項４】
前記送り量設定手段は、ミリメートル単位、インチ単位、文字数単位およびドット数単位のいずれかで、前記送り量を設定可能であることを特徴とする請求項１ないし３のいずれか１項に記載のテープ印刷装置。
【請求項５】
前記段落作成手段により作成される各段落は、印刷後の前記テープの幅方向における長さが一律であることを特徴とする請求項１ないし４のいずれか１項に記載のテープ印刷装置。
【請求項６】
１以上の行から成る段落を、テープの長手方向に複数並べて印刷可能なテープ印刷装置の段落配置決定方法であって、
前記テープ印刷装置が、
前記段落を作成する段落作成ステップと、
前記テープの長手方向における段落間の送り量を、段落ごとに設定する送り量設定ステップと、
設定された送り量に基づいて、各段落の配置を決定する配置決定ステップと、を実行し、
前記送り量設定ステップは、２番目以降に作成された任意の段落について、前記送り量をマイナスの値に設定可能であり、
前記配置決定ステップは、前記送り量がマイナスの値に設定された場合、その前に作成された１以上の段落のうち少なくとも１の段落と重畳するように、当該任意の段落の配置を決定することを特徴とするテープ印刷装置の段落配置決定方法。
【請求項７】
コンピューターに、請求項６に記載のテープ印刷装置の段落配置決定方法における各ステップを実行させるためのプログラム。
【発明の詳細な説明】
【技術分野】
【０００１】
１以上の行から成る段落を、テープの長手方向に複数並べて印刷可能なテープ印刷装置、テープ印刷装置の段落配置決定方法およびそのプログラムに関する。
【背景技術】
【０００２】
従来、この種のテープ印刷装置では、１つのラベルの中に幾つかの段落を設けることで、色々な行数を混在させたり、デザインを段落ごとに変えたりすることができる（例えば、非特許文献１）。但し、１の段落内における行数は固定されており、１の段落内において、行数の異なる文書を混在させたり、１の行を途中から２行に増やしたりすることはできない。
【先行技術文献】
【特許文献】
【０００３】
【非特許文献１】株式会社キングジム、「テプラ」ＰＲＯ  ＳＲ９３０  取扱説明書、２００９年  ７月  第３版、ｐ．５５，５６，７８〜８２
【発明の概要】
【発明が解決しようとする課題】
【０００４】
上記の理由により、従来のテープ印刷装置では、段落機能を用いて多様性のあるラベルを作成しようとしているにも関わらず、アレンジの自由度が低いため、必ずしもユーザーが所望する成果物を得ることができなかった。また、テープの長手方向における段落間の送り量（段落間の長さ）は一律であり（例えば、０．５ｍｍ）、段落の配置も自由に設定することができなかった。
【０００５】
本発明は、上記の問題点に鑑み、テープ上における段落の配置の自由度が高いテープ印刷装置、テープ印刷装置の段落配置決定方法およびそのプログラムを提供することを課題とする。
【課題を解決するための手段】
【０００６】
本発明のテープ印刷装置は、１以上の行から成る段落を、テープの長手方向に複数並べて印刷可能なテープ印刷装置であって、段落を作成する段落作成手段と、テープの長手方向における段落間の送り量を、段落ごとに設定する送り量設定手段と、送り量設定手段の設定に基づいて、各段落の配置を決定する配置決定手段と、配置決定手段により決定された配置となるように、段落作成手段により作成された各段落をテープ上に印刷する印刷手段と、を備え、前記送り量設定手段は、２番目以降に作成された任意の段落について、前記送り量をマイナスの値に設定可能であり、前記配置決定手段は、前記送り量がマイナスの値に設定された場合、その前に作成された１以上の段落のうち少なくとも１の段落と重畳するように、当該任意の段落の配置を決定することを特徴とする。
上記のテープ印刷装置において、送り量設定手段は、複数の選択肢の中からいずれかを選択することによって送り量を設定可能であり、選択肢には、任意の段落の開始位置を、その直前に作成された段落の開始位置に揃えて重畳させるための第１の選択肢が含まれることが好ましい。
上記のテープ印刷装置において、選択肢には、任意の段落の開始位置を、その直前に作成された段落の開始位置または終了位置から所定量だけ離間した位置に配置させるための第２の選択肢が含まれることが好ましい。
上記のテープ印刷装置において、送り量設定手段は、ミリメートル単位、インチ単位、文字数単位およびドット数単位のいずれかで、送り量を設定可能であることが好ましい。
上記のテープ印刷装置において、段落作成手段により作成される各段落は、印刷後のテープの幅方向における長さが一律であることが好ましい。
本発明のテープ印刷装置の段落配置決定方法は、１以上の行から成る段落を、テープの長手方向に複数並べて印刷可能なテープ印刷装置の段落配置決定方法であって、テープ印刷装置が、段落を作成する段落作成ステップと、テープの長手方向における段落間の送り量を、段落ごとに設定する送り量設定ステップと、設定された送り量に基づいて、各段落の配置を決定する配置決定ステップと、を実行し、前記送り量設定ステップは、２番目以降に作成された任意の段落について、前記送り量をマイナスの値に設定可能であり、前記配置決定ステップは、前記送り量がマイナスの値に設定された場合、その前に作成された１以上の段落のうち少なくとも１の段落と重畳するように、当該任意の段落の配置を決定することを特徴とする。
本発明のプログラムは、コンピューターに、上記のテープ印刷装置の段落配置決定方法における各ステップを実行させることを特徴とする。
なお、以下の構成としても良い。
本発明のテープ印刷装置は、１以上の行から成る段落を、テープの長手方向に複数並べて印刷可能なテープ印刷装置であって、段落を作成する段落作成手段と、テープの長手方向における段落間の送り量を設定する送り量設定手段と、送り量設定手段の設定に基づいて、各段落の配置を決定する配置決定手段と、配置決定手段により決定された配置となるように、段落作成手段により作成された各段落をテープ上に印刷する印刷手段と、を備えたことを特徴とする。
【０００７】
本発明のテープ印刷装置の段落配置決定方法は、１以上の行から成る段落を、テープの長手方向に複数並べて印刷可能なテープ印刷装置の段落配置決定方法であって、テープ印刷装置が、段落を作成する段落作成ステップと、テープの長手方向における段落間の送り量を設定する送り量設定ステップと、設定された送り量に基づいて、各段落の配置を決定する配置決定ステップと、を実行することを特徴とする。
【０００８】
これらの構成によれば、段落間の送り量を設定することができるため、テープ上における各段落の配置の自由度を高めることができる。これにより、多様性のあるラベルを作成することができ、ひいてはユーザーが所望する成果物を得ることができる。
【０００９】
上記に記載のテープ印刷装置において、送り量設定手段は、段落ごとに、送り量を設定可能であることが好ましい。
【００１０】
この構成によれば、段落ごとに送り量の異なる、より多様性のあるラベルを作成することができる。
なお、任意の段落について設定された送り量は、当該任意の段落と、その直前または直後の段落との間の長さとなる。
【００１１】
上記に記載のテープ印刷装置において、送り量をマイナスの値に設定可能であり、配置決定手段は、送り量がマイナスの値に設定された場合、その前に作成された１以上の段落のうち少なくとも１の段落と重畳するように、当該任意の段落の配置を決定することが好ましい。
【００１２】
この構成によれば、送り量をマイナスの値に設定することで、２つ以上の段落が重畳合成されたラベルを作成することができる。
なお、２つ以上の段落の重畳とは、段落の全体だけではなく一部が重畳する場合も含まれる。また、重畳する側（前面側，上側）の段落は、文字以外の下地部分が透過性を有していることが前提となる。
【００１３】
上記に記載のテープ印刷装置において、送り量設定手段は、複数の選択肢の中からいずれかを選択することによって送り量を設定可能であり、選択肢には、任意の段落の開始位置を、その直前に作成された段落の開始位置に揃えて重畳させるための第１の選択肢が含まれることが好ましい。
【００１４】
この構成によれば、複数の選択肢の中からいずれかを選択することによって、容易に送り量を設定することができる。また、任意の段落の開始位置を、その直前に作成された段落の開始位置に揃えて重畳させるための第１の選択肢が含まれるため、ユーザーが送り量を計算するなどの手間を必要とすることなく、任意の段落とその直前に作成された段落との合成を容易に実現できる。
【００１５】
上記に記載のテープ印刷装置において、選択肢には、任意の段落の開始位置を、その直前に作成された段落の開始位置または終了位置から所定量だけ離間した位置に配置させるための第２の選択肢が含まれることが好ましい。
【００１６】
この構成によれば、任意の段落の開始位置を、その直前に作成された段落の開始位置または終了位置から所定量だけ離間した位置に配置させるための第２の選択肢が含まれるため、各段落をテープの長手方向に等間隔で配置させることができ、見栄えの良いラベルを作成することができる。
【００１７】
上記に記載のテープ印刷装置において、送り量設定手段は、ミリメートル単位、インチ単位、ドット数単位および文字数単位のいずれかで、送り量を設定可能であることが好ましい。
【００１８】
この構成によれば、ミリメートル単位、インチ単位およびドット数単位で送り量を設定できる場合、成果物上（テープ上）における段落間隔の想定が容易である。また、文字数単位で送り量を設定できる場合、２つの段落を重畳合成させたりする場合の設定が容易である。
なお、文字数単位とは、全角文字単位、半角文字単位のいずれでも良い。また、文字サイズも含めて送り量を設定可能としても良い。例えば、文字サイズ「大」の全角文字１文字分、文字サイズ「中」の半角文字４文字分、などの設定が考えられる。
【００１９】
上記に記載のテープ印刷装置において、段落作成手段により作成される各段落は、印刷後のテープの幅方向における長さが一律であることが好ましい。
【００２０】
この構成によれば、各段落は、印刷後のテープの幅方向における長さが一律であるため、複数の段落をテープの長手方向に並べて配置させた場合（重畳合成した場合を含む）の見栄えを良くすることができる。
【００２１】
本発明のプログラムは、コンピューターに、上記に記載のテープ印刷装置の段落配置決定方法における各ステップを実行させることを特徴とする。
【００２２】
このプログラムを用いることにより、テープ上における段落の配置の自由度が高いテープ印刷装置の段落配置決定方法を実現することができる。
【図面の簡単な説明】
【００２３】
【図１】本発明の一実施形態に係るテープ印刷装置の外観斜視図である。
【図２】テープ印刷装置の制御ブロック図である。
【図３】段落の作成から配置決定までの操作を示す画面遷移図である。
【図４】段落の作成結果、およびその印刷結果を示す説明図である。
【図５】段落の送り量の設定例とその印刷結果を示す説明図である。
【図６】テープ印刷装置の段落配置決定処理を示すフローチャートである。
【発明を実施するための形態】
【００２４】
以下、本発明の一実施形態について、添付図面を参照しながら詳細に説明する。図１は、本実施形態に係るテープ印刷装置１の開閉蓋２１を開いた状態の外観斜視図である。図１に示すようにテープ印刷装置１は、装置ケース２により外郭が形成され、装置ケース２の前部上面には各種入力キーを備えたキーボード３が配置されると共に、後部上面には、その左部に開閉蓋２１が取り付けられ、その右部には表示画面４１が配設されている。開閉蓋２１の内側にはテープカートリッジＣを装着するためのカートリッジ装着部６が窪入形成されており、テープカートリッジＣは、開閉蓋２１を開放した状態でカートリッジ装着部６に着脱可能に装着される。また、開閉蓋２１にはこれを閉じた状態でテープカートリッジＣの装着／非装着を視認するための覗き窓２１ａが形成されている。
【００２５】
キーボード３には、文字キー群３ａ、および各種動作モード等を指定するための機能キー群３ｂが配列されている。文字キー群３ａは、ＪＩＳ配列に基づいたフルキー構成であり、操作するキー数の増加を抑えるためのシフトキーを備えるなど、一般のワードプロセッサー等と同様である。また、機能キー群３ｂには、［印刷］キー、［カーソル］キー、［選択］キー、［削除］キーおよび［編集］キーが含まれる。
【００２６】
［印刷］キーは、印刷実行を指示するためのキーである。［カーソル］キーは、上下左右キー（［↑］，［↓］，［←］，［→］）から成り、カーソル移動やスクロール操作を行うためのキーである。また、［選択］キーは、選択肢の選択および確定操作を行うためのキーである。また、［削除］キーは、文字を削除（消去）するためのキーである。また、［編集］キーは、文字モードの設定、段落スタイルの設定、文章書式の設定などを行うためのキーである。なお、「段落」とは、テープ幅に積み重ねて印刷される「行の集まり（または１行）」を指す。また、「文章」とは、１つのラベルＬ（図４（ｃ）参照）に印刷される全ての段落、全ての行、全ての文字を指す。つまり、「文字＜行＜段落＜文章」の順で、その単位が大きくなる。
【００２７】
表示画面４１は、液晶ディスプレーであり、ユーザーがキーボード３を用いて入力した入力情報に基づく編集結果、および当該編集結果に基づいて生成された印刷データ等を確認したりする際に用いられる。
【００２８】
装置ケース２の左側部には、カートリッジ装着部６と外部とを連通するテープ排出口２２が形成され、このテープ排出口２２には、送り出したテープＴを切断するためのテープカッター２３が臨んでいる。そして、テープ排出口２２から印刷済みのテープＴが所定長さだけ送り出され、送りを一旦停止させた状態で、この印刷済みのテープＴがテープカッター２３により切断されて、短冊状のラベルＬ（図４（ｃ）参照）を作成する。なお、切断処理については、自動カットを「する」または「しない」の選択肢により、カッターモーター２５（図２参照）の駆動を設定できる。
【００２９】
一方、カートリッジ装着部６には、ヘッドカバー６１ａ内にサーマルタイプの印刷ヘッド７が内蔵されたヘッドユニット６１と、印刷ヘッド７に対峙するプラテン駆動軸６２と、後述のインクリボンＲを巻き取る巻き取り駆動軸６３と、後述のテープリール１７の位置決め突起６４とを備えている。また、カートリッジ装着部６の下側には、プラテン駆動軸６２および巻き取り駆動軸６３を回転させるテープ送りモーター２６（図２参照）が内蔵されている。
【００３０】
テープカートリッジＣは、カートリッジケース５１内部の上部中央部に、一定の幅（４ｍｍ〜４８ｍｍ程度）のテープＴを巻回したテープリール１７と、右下部にインクリボンＲを巻回したリボンリール１９とを収容して構成されており、テープＴとインクリボンＲは同じ幅で構成されている。また、テープリール１７の左下部には前記ヘッドユニット６１を覆うヘッドカバー６１ａが差し込まれるための貫通孔５５が形成されている。さらに、貫通孔５５に差し込まれたヘッドユニット６１と、プラテン駆動軸６２に嵌合されて回転駆動するプラテンローラー５３とは、テープＴとインクリボンＲとが重なる部分に対応して配置されている。一方、リボンリール１９に近接してリボン巻き取りリール５４が配置され、リボンリール１９から繰り出されたインクリボンＲは、ヘッドカバー６１ａを周回するように、リボン巻き取りリール５４に巻き取られるようになっている。つまり、貫通孔５５の周壁のリボン走行路を経由して、リボン巻き取りリール５４に巻き取られるようになっている。
【００３１】
テープカートリッジＣがカートリッジ装着部６に装着されると、ヘッドカバー６１ａに貫通孔５５が、位置決め突起６４にテープリール１７の中心孔が、巻き取り駆動軸６３にリボン巻き取りリール５４の中心孔がそれぞれ差し込まれ、テープＴおよびインクリボンＲを挟み込んで印刷ヘッド７がプラテンローラー５３に当接して印刷が可能になる。その後、ユーザーが表示画面４１の編集結果を確認しながらキーボード３により所望のテキスト（文字、数字、記号、簡易図形等のキャラクタ）や画像を入力し、［印刷］キーの押下によって印刷を指示すると、テープ印刷装置１は、テープ送りモーター２６によりテープカートリッジＣからテープＴを繰り出し、印刷ヘッド７の発熱素子を選択的に発熱させることによりテープＴに所望の印刷を行う。テープＴの印刷済み部分はテープ排出口２２から随時外部に送り出され、印刷を完了すると、テープ送りモーター２６は、余白分を含むテープ長さの位置までテープＴの送りを行った後、その送りを停止する（その後、切断処理に移行する）。
【００３２】
一方、テープＴは、裏面に粘着剤層が形成された記録テープＴａと、この粘着剤層により記録テープＴａに貼り付けられた剥離テープＴｂとから構成されている。そして、テープＴは、記録テープＴａを外側にし、かつ剥離テープＴｂを内側にしてロール状に巻回されてカートリッジケース５１内に収容されている。また、テープＴは、テープ種別（テープ幅、テープの地色、地模様、材質など）が異なる複数種のものが用意されており、各カートリッジケース５１には、このうち１種類のテープＴ（およびインクリボンＲ）が収容されている。また、カートリッジケース５１の裏面にはテープカートリッジＣの種別を特定する複数の孔（図示省略）が設けられている。また、複数の孔に対応してカートリッジ装着部６には、これらを検出するテープ識別センサー（マイクロスイッチ等）２７（図２参照）が、複数設けられており、このテープ識別センサー２７により複数の孔の状態を検出することで、テープ種別を判別できるようになっている。
【００３３】
次に、図２の制御ブロック図を参照し、テープ印刷装置１の制御構成について説明する。テープ印刷装置１は、中央処理装置であるＣＰＵ（Central  Processing  Unit）１１０、ＲＡＭ（Random  Access  Memory）１２０、ＲＯＭ（Read  Only  Memory）１３０、表示画面４１、キーボード３、カッターモーター２５、テープカッター２３、テープ送りモーター２６、印刷ヘッド７およびテープ識別センサー２７を備え、各構成要素は、バス１５０を介して接続されている。
【００３４】
ＲＡＭ１２０は、ＣＰＵ１１０と直接接続されており、ＣＰＵ１１０が各種制御を行う際のワークエリアとして用いられる。ＲＯＭ１３０は、ＣＰＵ１１０が各種制御を行うための制御プログラムおよび各種情報を記憶している。制御プログラムとしては、具体的に、表示画面４１の表示制御を行うための表示制御プログラム、段落を作成するための段落作成処理プログラム、段落の配置を決定するための段落配置決定処理プログラムおよび印刷処理を行うための印刷処理プログラム等を記憶している（図示省略）。また、ＲＯＭ１３０は、表示画面４１への表示、およびテープＴへの印刷に用いられる多数のキャラクタを記憶するキャラクタ記憶領域１３１を有している。
【００３５】
表示画面４１は、編集結果や印刷レイアウトを表示するための表示手段として機能する。キーボード３は、ユーザーが情報を入力するための入力手段、編集処理を行うための編集手段、各種設定を行うための設定手段、などとして機能する。
【００３６】
カッターモーター２５は、テープカッター２３と接続され、切断手段として機能する。また、テープ送りモーター２６および印刷ヘッド７は、テープＴ上に印刷を行うための印刷手段として機能する。上記のとおり、印刷ヘッド７およびテープ識別センサー２７は、カートリッジ装着部６に設けられ、テープ識別センサー２７は、テープカートリッジＣに収容されたテープＴの種別を検出する。ＣＰＵ１１０は、このテープ識別センサー２７の検出結果に基づいて（テープ幅等に基づいて）、テキストとして入力可能な行数および文字数の制限、テープＴ上に段落が印刷された場合の占有領域を示す印刷領域Ｅ（図４等参照）のテープ幅方向における長さの決定、装着されたテープカートリッジＣの適合性の判別、などの制御を行う。その他、ＣＰＵ１１０は、表示画面４１の表示処理、編集処理および印刷処理を制御する。
【００３７】
次に、図３および図４を参照し、段落の作成から配置決定までの操作、並びに当該操作に基づく印刷データの作成結果および印刷結果について説明する。符号Ｄ０１の画面（以下、「画面Ｄ＊＊」と記載する）は、未入力状態のテキスト入力画面を示している。未入力状態のテキスト入力画面は、囲み数字で示される行頭マークに、カーソルＫが付加されている。行頭マークが白色で表示（行数を示す数字が黒色で表示）されている場合は、その行以降に文字が入力されていないことを意味している。また、行頭マークが黒色で表示（行数を示す数字が白色で表示）されている場合は、その行以降に文字が入力されていることを意味している（Ｄ０２等参照）。また、テキスト入力画面の下側は、入力されたテキストを示すテキスト表示領域であり、テキスト入力画面の上側は、印刷プレビュー領域である。さらに、画面上側左端部は、作成されるラベルＬのサイズを示すサイズ表示領域である。例えば、図３の例では、未入力状態であるためテープ長が０．０ｍｍ、テープ識別センサー２７の検出結果からテープ幅が１８ｍｍであることを示している。
【００３８】
画面Ｄ０２は、１段落目の文字が入力された状態を示している。ここでは、１行目に「入荷」が入力され、２行目に「□未定！」（“□”は全角スペースを意味する）が入力されたものとする。画面Ｄ０２で［編集］キーが押されると、編集画面（画面Ｄ０３）を表示する。編集画面では、文字モード、段落スタイル、文章書式のそれぞれについて複数の編集項目が用意されており、その中からいずれかの項目を選択可能となっている。ここでは、段落スタイルの項目「文字サイズ」が選択されたものとする。項目「文字サイズ」を反転表示している状態で［選択］キーが押されると、１段落目の行数が２行であることから、２行の段落の場合の文字サイズを選択する画面Ｄ０４を表示する。
【００３９】
画面Ｄ０４では、複数の選択肢の中から各行の文字サイズを選択可能となっている。例えば、「自由のびのび」が選択されると、行ごとに指定された文字サイズとする。また、「大大２ａ」が選択されると、２行とも文字サイズを「大（例えば１９ポイント）」とし、「中中２ｂ」が選択されると、２行とも文字サイズを「中（例えば１６ポイント）」とする。その他、「大小２ｃ」、「小大２ｄ」などの選択肢が存在するが、詳細な説明を省略する。
【００４０】
画面Ｄ０４で、デフォルト値である「大大２ａ」が選択されると、段落スタイルの項目を選択する画面Ｄ０５を表示する。ここで、段落スタイルの編集の終わりを意味する項目「終わり？」が選択されると、編集内容の有効範囲を選択する画面Ｄ０６を表示する。ここでは、「この文章」と「この段落」のいずれかを選択可能となっている。例えば、「この文章」が選択されると、編集内容が文章全体に反映される。また、「この段落」が選択されると、編集内容がその段落（カーソルＫが属する段落）のみに反映される。画面Ｄ０６で「この文章」が選択されると、テキスト入力画面（画面Ｄ０７，画面Ｄ０２と同様）を表示する。なお、画面Ｄ０６では、「この文章」が選択された場合を示しているが、１段落目の編集であるため、「この段落」が選択されても同様の結果となる。また、複数の段落が存在する場合に、「この文章」が選択された場合は、文章に対し、一括して送り量を設定することができる。なお、以上の操作（段落作成手段）によって作成された１段落目の印刷データ（当該印刷データに基づく印刷領域Ｅ１）は、図４（ａ）に示すとおりである。
【００４１】
画面Ｄ０８は、２段落目の文字が入力された状態を示している。ここでは、２段落目として、１行目に「□□□□しま」、２行目に「□□□□した」、３行目に「次回」、４行目に「入荷」がそれぞれ入力されたものとする。また、文字サイズは、４行の段落の場合のデフォルトのサイズに設定されている。なお、以上の操作によって作成された２段落目の印刷データ（当該印刷データに基づく印刷領域Ｅ２）は、図４（ｂ）に示すとおりである。なお、段落の印刷データに基づく印刷領域Ｅのテープ幅方向における長さは、テープ幅（テープ識別センサー２７の検出結果）によって一意に定まる。したがって、「印刷領域Ｅ１のテープ幅方向における長さ＝印刷領域Ｅ２のテープ幅方向における長さ」となる。これにより、ユーザーによる指定の手間を省くことができると共に、１のラベルＬ上に複数個の段落を配置した場合でも、段落の高さが異なることによる見栄えの悪さを解消することができる。
【００４２】
画面Ｄ０８で［編集］キーが押されると、編集画面（画面Ｄ０９）を表示する。また、画面Ｄ０９で、段落スタイルの項目「配置」が選択されると、段落配置を選択するための配置選択画面（画面Ｄ１０）を表示する（送り量設定手段）。画面Ｄ１０では、「前段落の次」、「前段落の先頭に揃える」、「前段落の次からＸｍｍ」の３つの選択肢の中からいずれかを選択可能となっている。なお、各選択肢が選択された場合の段落の配置については、後に詳述する。ここでは、選択肢「前段落の先頭に揃える」が選択されたものとする。
【００４３】
画面Ｄ１０で［選択］キーが押されると、段落スタイルの項目を選択する画面Ｄ１１（Ｄ０５と同様）を表示し、さらに［選択］キーが押されると、編集内容の有効範囲を選択する画面Ｄ１２（画面Ｄ０６と同様）を表示する。画面Ｄ１２において、「この段落」が選択されると、段落配置の設定を２段落目に反映し、テキスト入力画面（画面Ｄ１３）に戻る。この画面Ｄ１３では、テキスト表示領域の内容は画面Ｄ０８と同様であるが、印刷プレビュー領域の表示が異なる。つまり、２段落目の先頭と１段落目の先頭とが位置合わせされた状態で、２つの段落が重畳合成されている。画面Ｄ１３において、[印刷]キーが押された場合の印刷結果は、図４（ｃ）に示すとおりである。
【００４４】
次に、図５を参照し、配置選択画面（図３の画面Ｄ１０）において各選択肢が選択された場合の印刷結果について説明する。例えば、配置選択画面において、「前段落の次」が選択されると、第２段落の印刷領域Ｅ２の開始位置を、第１段落の印刷領域Ｅ１の終了位置から０．５ｍｍ（所定量）とする（配置決定手段）。すなわち、段落間の送り量は０．５ｍｍとなる（図５（ａ）参照）。また、「前段落の先頭に揃える」が選択されると、第２段落の印刷領域Ｅ２の開始位置を、第１段落の印刷領域Ｅ１の開始位置に揃える。すなわち、段落間の送り量は、「−（印刷領域Ｅ１のテープ長手方向における長さＬ，但しＬはＬ＞０）」となり、第１段落の印刷領域Ｅ１と第２段落の印刷領域Ｅ２が先端揃えで重畳合成される（図５（ｂ）参照）。なお、この場合、重畳する側（前面側，上側）の段落は、文字以外の下地部分が透過性を有して合成される。
【００４５】
また、「前段落の次からＸｍｍ」が選択されると、第２段落の印刷領域Ｅ２の開始位置を、第１段落の印刷領域Ｅ１の終了位置からＸｍｍとする。すなわち、段落間の送り量は、Ｘとなる（図５（ｃ）参照）。なお、Ｘはマイナス値および０も含めて設定可能である。すなわち、Ｘの値として正の数、０、負の数を設定可能である。なお、Ｘの値として負の数（但し、−Ｌ＜Ｘ＜０）が設定された場合の印刷結果は、図５（ｄ）に示すとおりである。すなわち、負の数となるＸの値が設定された場合は、第１段落の後半部と、第２段落の前半部が一部重畳合成される。
【００４６】
なお、図３のＤ０７のように、表示画面４１にテープ長が表示されているので、このテープ長を利用して、Ｘの値を指定しても良い。例えば、ラベルＬの前後にそれぞれ３ｍｍずつ、前余白および後余白が設けられる場合であって、図５（ｂ）の印刷結果を得たい場合、表示された３．０ｃｍから前余白の長さ３ｍｍを差し引いた長さが２７ｍｍであるので、Ｘの値を「−２７」と指定すれば良い。
【００４７】
次に、図６のフローチャートを参照し、テープ印刷装置１の段落配置決定処理の流れについて説明する。テープ印刷装置１（ＣＰＵ１１０）は、未作成の段落があるか否かを判別し、未作成の段落が存在しない場合は（Ｓ０１：Ｎｏ）、処理を終了する。また、未作成の段落が存在する場合は（Ｓ０１：Ｙｅｓ）、配置選択画面（図３の画面Ｄ１０）において、選択肢「前段落の次」が選択されたか否かを判別する（Ｓ０２）。ここで、Ｓ０２：Ｙｅｓの場合は、対象段落の開始位置をその直前の段落（以下、「前段落」と称する）の終了位置＋０．５ｍｍにする（Ｓ０３，図５（ａ）参照）。
【００４８】
また、Ｓ０２：Ｎｏの場合は、選択肢「前段落の先頭に揃える」が選択されたか否かを判別する（Ｓ０４）。ここで、Ｓ０４：Ｙｅｓの場合は、対象段落の開始位置を前段落の開始位置に揃える（Ｓ０５，図５（ｂ）参照）。さらに、Ｓ０４：Ｎｏの場合（すなわち、選択肢「前段落の次からＸｍｍ」が選択された場合）は、対象段落の開始位置を前段落の終了位置からＸｍｍにする（Ｓ０６，図５（ｃ），図５（ｄ）参照）。なお、Ｓ０３、Ｓ０５、Ｓ０６の後は、Ｓ０１に戻る。
【００４９】
以上説明したとおり、本実施形態のテープ印刷装置１によれば、段落間の送り量をユーザーの好みに応じて設定することができるため、ラベルＬ上における各段落の配置の自由度を高めることができる。これにより、多様性のあるラベルＬを作成することができ、ひいてはユーザーが所望する成果物を得ることができる。
【００５０】
また、送り量は、段落ごとに設定可能であるため、段落ごとに送り量の異なる、より多様性のあるラベルＬを作成することができる。さらに、送り量をマイナスの値に設定可能であるため、２つ以上の段落が重畳合成されたラベルＬを作成することもできる。
【００５１】
また、送り量を設定するための選択肢として、「任意の段落の開始位置を、その直前に作成された段落の開始位置に揃えて重畳させるための第１の選択肢＝前段落の先頭に揃える」が含まれるため、ユーザーが送り量を計算するなどの手間を必要とすることなく、任意の段落とその直前に作成された段落との合成を容易に実現できる。さらに、選択肢として、「任意の段落の開始位置を、その直前に作成された段落の終了位置から所定量だけ離間した位置に配置させるための第２の選択肢＝前段落の次」が含まれるため、各段落をテープＴの長手方向に等間隔で配置させることができ、見栄えの良いラベルＬを作成することができる。
【００５２】
なお、上記の実施形態では、負の数となるＸの値は、−Ｌ＜Ｘ＜０の範囲に制限されるものとしたが、Ｘ≦−Ｌとなる値を設定可能としても良い。この場合、Ｎ番目の段落の前に作成された（Ｎ−１）個の段落のうち少なくとも１の段落と重畳するように、当該Ｎ番目の段落の配置が決定される。
【００５３】
また、上記の実施形態では、送り量を、ミリメートル単位で設定したが、インチ単位やドット単位で設定可能としても良い。この構成によれば、ラベルＬ上における段落間隔の想定が容易である。
【００５４】
また、送り量を文字数単位で設定しても良い。この構成によれば、文字数単位で送り量を設定することができるため、２つの段落を重畳合成させたりする場合の設定が容易である。なお、文字数単位とは、全角文字単位、半角文字単位のいずれでも良い。また、文字サイズも含めて送り量を設定可能としても良い。具体的には、文字サイズ「大」の全角文字１文字分、文字サイズ「中」の半角文字２文字分、などの設定が考えられる。例えば、図５（ｂ）に示したように、第２段落の先頭を第１段落の先頭に揃える場合は、第２段落の送り量を、「−（文字サイズ「大」の全角文字４文字分）」とすれば良い。
【００５５】
また、上記の実施形態では、対象段落と前段落との段落間における送り量を設定したが、対象段落と当該対象段落の直後の段落との段落間における送り量を設定可能としても良い。
【００５６】
また、上記の実施形態では、選択肢「前段落の次からＸｍｍ」が選択された場合、対象段落の開始位置を前段落の終了位置からＸｍｍにするものとしたが、前段落の終了位置を基準とするのではなく、前段落の開始位置を基準としても良い。例えば、図５（ｂ）に示したように、第２段落の先頭を第１段落の先頭に揃える場合は、第２段落の送り量を０ｍｍとすれば良い。また、図５（ａ）に示した配置とする場合は、「１段落目のテープ長手方向における長さ＋０．５ｍｍ」とすれば良い。
【００５７】
また、上記の実施形態では、図５（ｂ）および図５（ｄ）に示すように、２つの段落を合成した場合を例示したが、３つ以上の段落を合成することも可能である。
【００５８】
また、上記の各実施形態に示した、テープ印刷装置１の各構成要素をプログラムとして提供することが可能である。また、そのプログラムを各種記録媒体（ＣＤ−ＲＯＭ、フラッシュメモリ等）に格納して提供することも可能である。すなわち、コンピューターを、テープ印刷装置１の各手段として機能させるためのプログラム、およびそれを記録した記録媒体も、本発明の権利範囲に含まれるものである。その他、本発明の要旨を逸脱しない範囲で、適宜変更が可能である。
【符号の説明】
【００５９】
１…テープ印刷装置  ３…キーボード  ６…カートリッジ装着部  ７…印刷ヘッド  １７…テープリール  １９…リボンリール  ２７…テープ識別センサー  ４１…表示画面  ５１…カートリッジケース  ６１…ヘッドユニット  １１０…ＣＰＵ  １２０…ＲＡＭ  １３０…ＲＯＭ  Ｃ…テープカートリッジ  Ｅ…印刷領域  Ｋ…カーソル  Ｌ…ラベル  Ｔ…テープ
【図１】
0005560810.tif 000002
【図２】
0005560810.tif 000003
【図３】
0005560810.tif 000004
【図４】
0005560810.tif 000005
【図５】
0005560810.tif 000006
【図６】
0005560810.tif 000007